(57)【要約】【課題】ネットワークの混雑状態に影響されずに適切に情報要求者に配信情報を提供することが可能な情報配信サーバを提供すること。【解決手段】本発明の情報配信サーバ２０は、携帯電話機１０を特定する通信端末特定情報と、配信情報の種別を示す配信種別情報とを含む受付情報を受け付ける登録受付部２０１と、受け付けられた受付情報に基づいて、携帯電話機１０に送信する配信情報を設定する情報設定部２０３と、設定された配信情報を、携帯電話機１０に送信する送信部２０５と、受付情報に基づいて、配信情報を再生させる配信対象通信端末を決定する端末決定部２０７と、受付情報に含まれる配信種別情報に基づいて、配信対象通信端末に再生させる配信情報を決定する対象決定部２０８と、決定された配信情報を特定する配信特定情報を、配信対象通信端末に送信する配信部２０９とを備える。【選択図】  図１
2004362137.tif 000002
【特許請求の範囲】
【請求項１】
配信情報の提供を受けようとする情報要求者の利用する情報通信端末を特定する通信端末特定情報と、前記情報要求者が要求する配信情報の種別を示す配信種別情報とを含む受付情報を受け付ける登録受付手段と、
前記登録受付手段によって受け付けられた前記受付情報に基づいて、前記情報通信端末に送信する配信情報を設定する情報設定手段と、
前記情報設定手段によって設定された前記配信情報を、前記情報通信端末に送信する送信手段と、
前記通信端末特定情報に基づいて、配信情報を再生させる配信対象通信端末を決定する端末決定手段と、
前記配信種別情報に基づいて、前記配信対象通信端末に再生させる配信情報を決定する対象決定手段と、
前記対象決定手段によって決定された前記配信情報を特定する配信特定情報を、前記配信対象通信端末に送信する配信手段と
を備える情報配信サーバ。
【請求項２】
前記情報設定手段によって設定された配信情報と、過去に前記情報通信端末に送信された配信情報との差分を導出する差分導出手段をさらに備え、
前記送信手段は、前記差分導出手段によって導出された前記差分情報を配信情報として前記情報通信端末に送信する、請求項１に記載の情報配信サーバ。
【請求項３】
前記受付情報に含まれる通信端末特定情報によって特定される情報通信端末に関する位置情報を取得する位置取得手段をさらに備え、
前記登録受付手段は、配信特定情報が送信される際の情報通信端末の位置を限定する配信区域情報と、配信特定情報が送信される際の時間帯を限定する配信時間情報とを、前記受付情報に含んで受信し、
前記端末決定手段は、前記位置情報と、前記受付情報に含まれる配信区域情報と配信時間情報と通信端末特定情報とに基づいて、配信情報を再生させる配信対象通信端末を決定する、請求項１又は２に記載の情報配信サーバ。
【請求項４】
情報配信サーバから配信情報を受信して再生させる情報通信端末であって、
前記情報配信サーバから送信された配信情報を受信する情報受信手段と、
前記配信情報のうちから情報再生手段に再生させる配信情報を特定する配信特定情報を、前記情報配信サーバから受信する受信手段と、
前記配信特定情報で特定される配信情報を情報再生手段に再生させる再生手段と
を備える情報通信端末。
【請求項５】
情報配信サーバから配信情報を受信して再生させる情報通信端末を、
前記情報配信サーバから送信された配信情報を受信する情報受信手段、
前記配信情報のうちから情報再生手段に再生させる配信情報を特定する配信特定情報を、前記情報配信サーバから受信する受信手段、
前記配信特定情報で特定される配信情報を情報再生手段に再生させる再生手段として機能させるための端末プログラム。
【発明の詳細な説明】
【０００１】
【発明の属する技術分野】
本発明は、情報配信サーバ、情報通信端末、及び端末プログラムに関するものである。
【０００２】
【従来の技術】
従来から、情報要求者の所在している場所や時間に応じて必要な情報を配信できる様々なシステムが利用されている。例えば、特許文献１に記載されたプッシュ型情報配信システムにおいては、情報要求者のコンピュータ端末に対して指定された配信希望時刻に応じて配信情報を送信することが行われている。また、特許文献２に記載された情報配信サービスシステムは、特定の場所に存在する通信端末に、その場所に適した配信情報を送信するというものである。
【０００３】
【特許文献１】
特開２００１−２２６７２号公報
【０００４】
【特許文献２】
特開２００２−２４５０７７号公報
【０００５】
【発明が解決しようとする課題】
しかしながら、上記従来技術では、以下の様な問題点があった。つまり、情報が蓄積されているデータベースを有するサーバと情報を受信する通信端末とは、移動体通信網等のネットワークを介して接続されているため、ネットワークが輻輳状態にあるとき、サーバからの配信情報の送信時に遅延が生じたり、送信が一時的に不可能になる場合がある。従って、情報要求者又は情報提供者が意図する時間や場所と、実際に情報要求者が配信情報を受信する時間や場所を適合させることは困難である。
【０００６】
そこで、本発明は、ネットワークの混雑状態に影響されずに適切に情報要求者に配信情報を提供することが可能な情報配信サーバ、情報通信端末、及び端末プログラムを提供することを目的とする。
【０００７】
【課題を解決するための手段】
本発明の情報配信サーバは、配信情報の提供を受けようとする情報要求者の利用する情報通信端末を特定する通信端末特定情報と、情報要求者が要求する配信情報の種別を示す配信種別情報とを含む受付情報を受け付ける登録受付手段と、登録受付手段によって受け付けられた受付情報に基づいて、情報通信端末に送信する配信情報を設定する情報設定手段と、情報設定手段によって設定された配信情報を、情報通信端末に送信する送信手段と、受付情報に基づいて、配信情報を再生させる配信対象通信端末を決定する端末決定手段と、受付情報に含まれる配信種別情報に基づいて、配信対象通信端末に再生させる配信情報を決定する対象決定手段と、対象決定手段によって決定された配信情報を特定する配信特定情報を、配信対象通信端末に送信する配信手段とを備える。
【０００８】
本発明の情報配信サーバによれば、登録受付手段が通信端末特定情報と配信種別情報とを含む受付情報を受け付けるので、情報要求者がどの情報通信端末にどのような種類の配信情報を送って欲しいかという情報を登録させることができる。また、情報設定手段がその受付情報に基づいて送信する配信情報を決定し、送信手段がその配信情報を情報通信端末に送信するので、情報要求者が、希望する内容の配信情報を事前に取得することができる。また、端末決定手段が受付情報に基づいて配信対象通信端末を決定し、対象決定手段が受付情報に基づいて配信対象通信端末に再生させる配信情報を決定し、配信手段がその配信情報を特定する情報を配信対象通信端末に送信するので、情報要求者に対して、事前にその情報要求者が取得した配信情報の中から、希望する内容の配信情報が何かを適時に知らせることができる。
【０００９】
また、本発明の情報配信サーバでは、情報設定手段によって設定された配信情報と、過去に情報通信端末に送信された配信情報との差分を導出する差分導出手段をさらに備え、送信手段は、差分導出手段によって導出された差分情報を配信情報として情報通信端末に送信することも好ましい。この場合、差分導出手段が過去に情報通信端末に送信した配信情報を除いて送信する配信情報を設定し、送信手段がその配信情報を送信するので、情報通信端末に対する重複した配信情報の送信を防止することができる。
【００１０】
また、本発明の情報配信サーバでは、受付情報に含まれる通信端末特定情報によって特定される情報通信端末に関する位置情報を取得する位置取得手段をさらに備え、登録受付手段は、配信特定情報が送信される際の情報通信端末の位置を限定する配信区域情報と、配信特定情報が送信される際の時間帯を限定する配信時間情報とを、受付情報に含んで受信し、端末決定手段は、位置情報と、受付情報に含まれる配信区域情報と配信時間情報と通信端末特定情報とに基づいて、配信情報を再生させる配信対象通信端末を決定することも好ましい。この場合、位置情報取得手段が情報通信端末の位置情報を取得し、登録受付手段が配信区域情報と配信時間情報を含んで受け付け、端末決定手段がその位置情報と配信区域情報と配信時間情報に基づいて配信対象通信端末を決定するので、情報要求者が希望する場所と時間において配信情報を知得させることができる。
【００１１】
本発明の情報通信端末は、情報配信サーバから配信情報を受信して再生させる情報通信端末であって、情報配信サーバから送信された配信情報を受信する情報受信手段と、配信情報のうちから情報再生手段に再生させる配信情報を特定する配信特定情報を、情報配信サーバから受信する受信手段と、配信特定情報で特定される配信情報を情報再生手段に再生させる再生手段とを備える。
【００１２】
また、本発明の端末プログラムは、情報配信サーバから配信情報を受信して再生させる情報通信端末を、情報配信サーバから送信された配信情報を受信する情報受信手段、配信情報のうちから情報再生手段に再生させる配信情報を特定する配信特定情報を、情報配信サーバから受信する受信手段、配信特定情報で特定される配信情報を情報再生手段に再生させる再生手段として機能させる。
【００１３】
本発明の情報通信端末及び端末プログラムによれば、情報受信手段が配信情報を受信し、受信手段がその配信情報の中から再生させる配信情報を特定する情報を受信し、再生手段がその配信情報を再生させるので、事前に取得した配信情報の中から適時に配信情報を選択再生させることができる。
【００１４】
【発明の実施の形態】
本発明の実施形態にかかる情報配信システムについて図面を参照して説明する。なお、各図において、同一要素には同一符号を付して重複する説明を省略する。
【００１５】
図１は、本発明にかかる情報配信システムの構成図である。図１に示すように、本実施形態にかかる情報配信システム３０は、配信情報の提供を受けようとする情報要求者の利用する携帯電話機１０と、配信情報を携帯電話機１０に提供する情報配信サーバ２０と、両者を接続するネットワーク４０とから成る。このような構成により、携帯電話機１０と情報配信サーバ２０との間で相互に情報通信が可能となっている。
【００１６】
携帯電話機１０は、情報配信サーバ２０から配信情報を受信して再生させるためのものであり、音声通話とともに他の装置とデータ通信も可能な情報通信端末である。携帯電話機１０は、物理的には、ＣＰＵ（中央処理装置）、メモリ、周波数変換チップ、パワーアンプ、アナログ・デジタル変換チップ、ボタン等の入力装置、ディスプレイ１０７ａ及びスピーカ１０７ｂの情報再生手段等を備えた情報通信端末として構成されている。携帯電話機１０の機能的な構成要素としては、図１に示すように、登録部１０１と、要求送信部１０２と、情報受信部１０３（情報受信手段）と、位置情報送信部１０４と、受信部１０５（受信手段）と、再生部１０６（再生手段）と、配信情報格納部１０８とを備えて構成される。
【００１７】
以下、携帯電話機１０の各構成要素について詳細に説明する。
【００１８】
登録部１０１は、文字情報、音声情報、動画像情報等の配信情報を受信するために必要な情報である受付情報を、情報配信サーバ２０に送信する部分である。この受付情報には、携帯電話機１０を特定する通信端末特定情報と、情報要求者である携帯電話機１０のユーザが要求する配信情報の種別を示す配信種別情報と、携帯電話機１０に配信特定情報（詳細は後述する。）が送信される際の携帯電話機１０の位置を限定する配信エリア情報（配信区域情報）と、携帯電話機１０に配信特定情報が送信される際の時間帯を限定する配信時間情報とを含んでいる。例えば、通信端末特定情報は、携帯電話機１０の電話番号「０９０−ＸＸＸＸ−ＸＸＸ１」であり、配信種別情報は、「避難経路」等の配信情報の種別であり、配信エリア情報は、「東京都区内」等の特定範囲の場所を示す情報であり、配信時間情報とは、「１０：００〜２３：００」等の特定時間帯を示す情報である。
【００１９】
また、要求送信部１０２は、情報配信サーバ２０に対して、受付情報に基づいて配信情報を返送するように要求する要求情報を送信する部分である。この要求情報には、携帯電話機１０を特定するための携帯電話機１０の電話番号を含んでいる。
【００２０】
情報受信部１０３は、この要求情報に応じて情報配信サーバ２０から送信された配信情報を受信する部分である。情報受信部１０３は、受信した全ての配信情報を各々独立した配信情報ファイルとして配信情報格納部１０８に格納する。
【００２１】
位置情報送信部１０４は、情報配信サーバ２０からの要求に応じて、携帯電話機１０の位置情報を送信する部分である。位置情報は、携帯電話機１０に内蔵されているＧＰＳ測位手段（図示せず）によって測位された携帯電話機１０の位置する経度Ｘ及び緯度Ｙを表す経度情報及び緯度情報（Ｘ，Ｙ）で構成されている。
【００２２】
また、受信部１０５は、いわゆるサーバプッシュ方式により情報配信サーバ２０から能動的に送信された配信情報ファイル名（配信特定情報）を受信する部分である。この配信情報ファイル名は、配信情報格納部１０８に格納された配信情報のうちから携帯電話機１０のディスプレイ１０７ａあるいはスピーカ１０７ｂに再生させる配信情報ファイルを特定するためのものである。より詳細には、受信部１０５は、配信情報ファイル名として「Ａ−１」を受信すると、受信した配信情報ファイル名を再生部１０６に出力する。
【００２３】
また、再生部１０６は、受信部１０５から出力された配信情報ファイル名で特定される配信情報ファイルを配信情報格納部１０８から取得して、その配信情報をディスプレイ１０７ａあるいはスピーカ１０７ｂに再生させる部分である。例えば、配信情報ファイル名が「Ａ−１」の場合には、配信情報ファイル「Ａ−１」を配信情報格納部１０８から取得して、その配信情報の形式（文字情報、音声情報、動画像情報）に応じてディスプレイ１０７ａあるいはスピーカ１０７ｂに再生させる。
【００２４】
情報配信サーバ２０は、情報要求者に対して文字情報、音声情報、動画像情報等の配信情報を送信するサーバシステムである。情報配信サーバ２０は、物理的には、ＣＰＵ（中央処理装置）、メモリ、マウスやキーボードなどの入力装置、ディスプレイなどの表示装置、ハードディスクなどの格納装置などを備えたコンピュータシステムとして構成されている。情報配信サーバ２０の機能的な構成要素としては、図１に示すように、登録受付部２０１（登録受付手段）と、要求受信部２０２と、情報設定部２０３（情報設定手段）と、差分導出部２０４（差分導出手段）と、送信部２０５（送信手段）と、位置取得部２０６（位置取得手段）と、端末決定部２０７（端末決定手段）と、対象決定部２０８（対象決定手段）と、配信部２０９（配信手段）と、端末情報格納部２１０と、配信条件格納部２１１と、送信状況格納部２１２と、配信情報格納部２１３とを備えて構成される。
【００２５】
以下、情報配信サーバ２０の構成要素について詳細に説明する。
【００２６】
登録受付部２０１は、携帯電話機１０の登録部１０１により送信された受付情報を受け付ける部分である。上述したように、受付情報には、通信端末特定情報と配信種別情報と、配信エリア情報と、配信時間情報とを含んでいる。登録受付部２０１は、受け付けた受付情報を端末情報格納部２１０に格納する。図２には、このようにして端末情報格納部２１０に格納されたデータの構成図の一例を示す。図２の例によれば、複数の配信種別情報「避難経路」「アメフト」と、配信エリア情報「東京都区内」と、配信時間情報「１０：００〜２３：００」とが、通信端末特定情報である携帯電話機１０の電話番号「０９０−ＸＸＸＸ−ＸＸＸ１」に関連づけて格納されている。また、登録受付部２０１は、受付情報を端末情報格納部２１０に格納する時点で、それぞれの受付情報毎にユーザ識別コードを付与し、合わせて格納する。
【００２７】
また、図１に戻って、要求受信部２０２は、携帯電話機１０の要求送信部１０２によって送信された要求情報を受信する部分である。要求受信部２０２は、その要求情報を情報設定部２０３に出力する。
【００２８】
情報設定部２０３は、登録受付部２０１によって受け付けられた受付情報に基づいて、携帯電話機１０に送信する配信情報を設定する部分である。ここで、全ての配信情報は、文字情報、音声情報、動画像情報等のそれぞれの形式に対応した配信情報ファイルとして、配信情報格納部２１３に格納されている。また、これらの配信情報格納部２１３に格納された配信情報ファイルの配信条件を管理するための配信管理情報が配信条件格納部２１１に格納されている。図３には、配信条件格納部２１１に格納されたデータの構成図の一例を示す。図３の例によれば、それぞれの配信情報ファイルに含まれる配信情報の種別を示す情報種別と、その配信情報を提供する場所を示す提供エリア情報と、その配信情報を提供する時間を示す提供時間情報とが、配信情報ファイル名に関連づけて格納されている。情報設定部２０３は、これらの配信管理情報に含まれる情報種別と携帯電話機１０の受付情報に含まれる配信種別情報とから、携帯電話機１０に送信する配信情報ファイルを設定する。図２及び図３の例によれば、携帯電話機１０の受付情報に含まれる配信種別情報「避難経路」「アメフト」に一致する情報種別を有する配信情報ファイル名を検索し、「Ａ−１」及び「Ｂ−１」を設定する。情報設定部２０３は、設定した配信情報ファイル名を差分導出部２０４に出力する。
【００２９】
図１に戻って、差分導出部２０４は、情報設定部２０３から出力された配信情報ファイル名と、過去に携帯電話機１０に送信された配信情報ファイル名との差分を導出する部分である。より具体的には、差分導出部２０４は、携帯電話機１０に過去に送信したファイル名を送信状況格納部２１２より取得する。図５には、送信状況格納部２１２に格納されたデータの構成図の一例を示す。図５の例によれば、過去に送信部２０５により送信（詳細は後述する。）された配信情報ファイルのファイル名が、送信先の携帯電話機のユーザ識別コードに関連づけて格納されている。これにより、ユーザ識別コード「００００１」が割り振られた携帯電話機１０に対して配信ファイル「Ａ−１」が送信済みであることが分かる。そこで、この送信済みファイル名と情報設定部２０３から出力された配信情報ファイル名「Ａ−１」と「Ｂ−１」との差分である「Ｂ−１」を導出する。その後、導出されたファイル名で特定される配信情報ファイルを配信情報格納部２１３から取得して、差分情報として送信部２０５に出力する。
【００３０】
図１に戻って、送信部２０５は、差分導出部２０４により導出された差分情報を携帯電話機１０に送信する部分である。さらに、送信した差分情報を特定する配信情報ファイル名を、携帯電話機１０のユーザ識別コードに関連づけて送信状況格納部２１２に格納する。
【００３１】
また、位置取得部２０６は、配信情報を再生させる携帯電話機とその携帯電話機に再生させる配信情報とを決定するために必要となる各携帯電話機の位置情報を定期的に取得する部分である。位置取得部２０６は、端末情報格納部２１０に格納された電話番号で特定される携帯電話機に対して位置情報を送信するように要求し、その要求に対して各携帯電話機から送信される位置情報を取得する。取得した位置情報は、現在位置情報として、その携帯電話機の電話番号に関連づけて端末情報格納部２１０に格納する。図２の例によれば、位置取得部２０６は、電話番号「０９０−ＸＸＸＸ−ＸＸＸ１」で特定される携帯電話機１０と、電話番号「０９０−ＸＸＸＸ−ＹＹＹ１」で特定される他の携帯電話機（図示せず）とに対して位置情報を要求する。その後それぞれの位置情報「（Ｘ１，Ｙ１）」と「（Ｘ２，Ｙ２）」を受信すると、図４に示すように、電話番号「０９０−ＸＸＸＸ−ＸＸＸ１」に対応する現在位置情報を「（Ｘ１，Ｙ１）」に、電話番号「０９０−ＸＸＸＸ−ＹＹＹ１」に対応する現在位置情報を「（Ｘ２，Ｙ２）」として格納する。
【００３２】
再び図１に戻って、端末決定部２０７は、端末情報格納部２１０に格納された現在位置情報と配信エリア情報と配信時間情報と電話番号とに基づいて、配信情報を再生させる配信対象通信端末を決定する部分である。端末決定部２０７は、上記決定処理を定期的に行うように動作する。より具体的には、端末情報格納部２１０に格納されているレコードの中から、現在時刻が配信時間情報の示す時間帯にあり、かつ、現在位置情報の示す位置が配信エリア情報の示すエリア内にあるものを抽出して、その各レコードの電話番号が示す携帯電話機を配信対象通信端末に決定する。図５の例によれば、現在時刻が「１０：００〜２３：００」の間であり、かつ、位置情報「（Ｘ１，Ｙ１）」の示す位置が「東京都区内」である場合に、携帯電話機１０を配信対象通信端末に決定する。端末決定部２０７は、決定した配信対象通信端末の電話番号を対象決定部２０８に出力する。
【００３３】
図１に戻って、対象決定部２０８は、端末情報格納部２１０に格納された、配信種別情報、現在位置情報、及び電話番号と、配信条件格納部２１１に格納された、提供時間情報、提供エリア情報、及び情報種別とに基づいて、配信対象通信端末に再生させる配信情報を決定する部分である。具体的には、対象決定部２０８は、端末決定部２０７から出力された電話番号を元に、配信対象通信端末に対応する配信種別情報及び現在位置情報を取得する。それらの情報を元に配信条件格納部２１１を検索し、情報種別が配信種別情報に一致し、かつ、提供時間情報が現在時刻を表しており、かつ、現在位置情報の示す位置が提供エリア情報の示すエリアにあるレコードを取得する。その後、取得されたレコードの配信情報ファイル名を配信部２０９に出力する。これにより、情報要求者に対して、場所と時間に応じた適切な情報を提供することが可能となる。例えば、図２及び図５の例によれば、配信対象通信端末が携帯電話機１０である場合であって、現在位置情報「（Ｘ１，Ｙ１）」が示す位置が「東京都中央区銀座」にある場合には、情報種別「避難経路」が携帯電話機１０に対応する配信情報種別に一致し、提供時間情報「ＡＬＬ  ＴＩＭＥ」が現在時刻を含んでいるので、配信情報ファイル名「Ａ−１」を取得して出力する。
【００３４】
図１に戻って、配信部２０９は、対象決定部２０８によって決定された配信情報ファイル名（配信特定情報）を配信対象通信端末に送信する部分である。
【００３５】
続いて、本実施形態にかかる情報配信システム３０の動作について説明する。図６〜図８は、本実施形態にかかる情報配信システム３０の動作を示すフローチャートである。
【００３６】
まず、最初に、図６を参照して、受付情報を受け付ける際の情報配信システム３０の動作について説明する。
【００３７】
まず、携帯電話機１０の登録部１０１から受付情報を入力し、情報配信サーバ２０に送信される（ステップＳ０１）。その受付情報は情報配信サーバ２０の登録受付部２０１により受信される（ステップＳ０２）。受信された受付情報にユーザ識別コードが付与され、端末情報格納部２１０に格納される（ステップＳ０３）。
【００３８】
次に、図７を参照して携帯電話機１０に配信情報が送信される際の情報配信システム３０の動作について説明する。
【００３９】
まず、携帯電話機１０の要求送信部１０２により、情報配信サーバ２０に対して要求情報が送信される（ステップＳ０４）。
【００４０】
この要求情報は、情報配信サーバ２０の要求受信部２０２により受信される（ステップＳ０５）。次に、情報設定部２０３により、情報要求者の要求する情報種別の配信情報が、携帯電話機１０に送信する配信情報として設定される（ステップＳ０６）。さらに、差分送出部２０４により、設定された配信情報と過去に携帯電話機１０に送信した配信情報との差分情報が導出される（ステップＳ０７）。導出された差分情報は、送信部２０５により、携帯電話機１０に送信される（ステップＳ０８）。
【００４１】
次に、送信された差分情報は、携帯電話機１０の情報受信部１０３により受信される（ステップＳ０９）。受信された差分情報は、情報受信部１０３により配信情報格納部１０８に格納される（ステップＳ１０）。
【００４２】
最後に、配信情報が携帯電話機１０により再生される際の情報配信システム３０の動作について説明する。
【００４３】
まず、情報配信サーバ２０の位置取得部２０６により、携帯電話機１０の位置情報が要求される（ステップＳ１１）。これに対し、携帯電話機１０の位置情報送信部１０４により、情報配信サーバ２０に対して、携帯電話機１０の位置情報「（Ｘ１，Ｙ１）」が送信される（ステップＳ１２）。送信された位置情報は、情報配信サーバ２０の位置取得部２０６により受信され、端末情報格納部２１０に携帯電話機１０の電話番号に関連づけて現在位置情報として格納される（ステップＳ１３）。上記ステップＳ１１〜Ｓ１３の処理は、端末情報格納部２１０に格納された電話番号で特定される全ての携帯電話機について行われる。
【００４４】
次に、端末決定部２０７により、端末情報格納部２１０に格納された受付情報と現在位置情報とに基づいて配信情報を再生させる配信対象通信端末が決定される（ステップＳ１４〜ステップＳ１６）。まず、端末情報格納部２１０に格納されたレコードを１つずつ読み出し、現在時刻が配信時間内であり、かつ現在位置情報の示す位置が配信エリア内にあるか否かが判定される（ステップＳ１４）。現在時刻が配信時間内であり、かつ現在位置情報の示す位置が配信エリア内にある場合（ステップＳ１４にてＹＥＳの場合）には、そのレコードの電話番号により特定される携帯電話機を配信対象通信端末に決定する（ステップＳ１５）。一方、現在時刻が配信時間内でないか、あるいは、現在位置情報の示す位置が配信エリア内でない場合（ステップＳ１４にてＮＯの場合）には、処理をステップＳ１６に移行する。次に、端末情報格納部２１０を参照し、未処理のレコードが存在する場合（ステップＳ１６にてＹＥＳの場合）には、そのレコードについて上述したステップＳ１４〜Ｓ１５の動作を繰り返す。一方、未処理のレコードが存在しない場合（ステップＳ１６にてＹＥＳの場合）には、処理をステップＳ１７に移行する。
【００４５】
さらに、対象決定部２０８により、配信対象通信端末に再生させる配信情報が決定される（ステップＳ１７〜ステップＳ２０）。まず、配信条件格納部２１１に格納されたレコードを１つずつ読み出し、そのレコードに格納されている情報種別が配信対象通信端末に関する配信種別情報と一致しているか否かが判定される（ステップＳ１７）。種別が一致していない場合（ステップＳ１７にてＮＯの場合）には、処理をステップＳ２０に移行する。種別が一致している場合には（ステップＳ１７にてＹＥＳの場合）には、次に、現在時刻がそのレコードに格納されている提供時間情報の示す時間であり、かつ、配信対象通信端末に関する現在位置情報の示す位置がそのレコードに格納されている提供エリア情報の示すエリア内であるか否かが判定される（ステップＳ１８）。配信時間が現在時刻であり、かつ、現在位置情報が示す位置がエリア内である場合（ステップＳ１８にてＹＥＳの場合）には、そのレコードに格納されている配信情報ファイル名が示すファイルを配信対象通信端末に再生させる配信情報として決定する（ステップＳ１９）。一方、配信時間が現在時刻でないか、あるいは、現在位置情報が示す位置がエリア外である場合（ステップＳ１８にてＮＯの場合）には、処理をステップＳ２０に移行する。次に、配信条件格納部２１１を参照し、未処理のレコードが存在する場合（ステップＳ２０にてＹＥＳの場合）には、そのレコードについて上述したステップＳ１７〜Ｓ１９の動作を繰り返す。一方、未処理のレコードが存在しない場合（ステップＳ２０にてＹＥＳの場合）には、処理をステップＳ２１に移行する。なお、ステップＳ１７〜Ｓ２０の処理は全ての配信対象通信端末について行われる。
【００４６】
上述した処理により、配信対象通信端末として携帯電話機１０が決定され、携帯電話機１０に再生させる配信情報ファイルが決定されると、その配信情報ファイル名が携帯電話機１０に送信される（ステップＳ２１）。
【００４７】
なお、ここまでのステップＳ１１〜Ｓ２１までの動作は、情報配信サーバ２０に備えるタイマー機能により定期的に繰り返し行われる。
【００４８】
情報配信サーバ２０により送信された配信情報ファイル名は、携帯電話機１０の受信部１０５により受信される（ステップＳ２２）。次に、再生部１０６により、この配信情報ファイル名で特定される配信情報ファイルが配信情報格納部１０８から取得される（ステップＳ２３）。最後に、再生部１０６により、取得された配信情報ファイルは、そのファイルの形式に応じて、ディスプレイ１０７ａあるいはスピーカ１０７ｂにおいて再生される（ステップＳ２４）。
【００４９】
本発明の実施形態にかかる端末プログラム、および、当該端末プログラムを記録したコンピュータ読み取り可能な記録媒体（以下、単に記録媒体という）について説明する。ここで、記録媒体とは、コンピュータのハードウェア資源に備えられている読み取り装置に対して、プログラムの記述内容に応じて、磁気、光、電気等のエネルギーの変化状態を引き起こして、それに対応する信号の形式で、読み取り装置にプログラムの記述内容を伝達できるものである。かかる記録媒体としては、例えば、磁気ディスク、光ディスク、ＣＤ−ＲＯＭ、コンピュータに内蔵されるメモリなどが該当する。
【００５０】
図９は、本発明の実施形態にかかる端末プログラムを記録した記録媒体の構成図である。記録媒体９は、図９に示すように、プログラムを記録するプログラム領域９１を備えている。このプログラム領域９１には、端末プログラム９２が記録されている。端末プログラム９２は、処理を統括するメインモジュール９２１と、登録モジュール９２２と、要求送信モジュール９２３と、情報受信モジュール９２４と、位置情報送信モジュール９２５と、受信モジュール９２６と、再生モジュール９２７とを備えて構成される。ここで、登録モジュール９２２、要求送信モジュール９２３、情報受信モジュール９２４、位置情報送信モジュール９２５、受信モジュール９２６、再生モジュール９２７のそれぞれを動作させることによって実現する機能は、上記携帯電話機１０の登録部１０１、要求送信部１０２、情報受信部１０３、位置情報送信部１０４、受信部１０５、再生部１０６それぞれの機能と同様である。尚、この場合、上記携帯電話機１０の配信情報格納部１０８は、記録媒体９のデータ領域９３に配信情報格納部９３１として格納されていても良いし、別の記録媒体に格納されていても良い。
【００５１】
以上述べた本実施形態にかかる情報配信サーバ２０によれば、登録受付部２０１が通信端末特定情報と配信種別情報とを含む受付情報を受け付けるので、情報要求者がどの情報通信端末にどのような種類の配信情報を送って欲しいかという情報を登録させることができる。また、情報設定部２０３がその受付情報に基づいて送信する配信情報を決定し、送信部２０５がその配信情報を情報通信端末に送信するので、情報要求者が、希望する内容の配信情報を事前に取得することができる。また、端末決定部２０７が受付情報に基づいて配信対象通信端末を決定し、対象決定部２０８が受付情報に基づいて配信対象通信端末に再生させる配信情報を決定し、配信部２０９がその配信情報を特定する情報を配信対象通信端末に送信するので、情報要求者に対して、事前にその情報要求者が取得した配信情報の中から、希望する内容の配信情報が何かを適時に知らせることができる。
【００５２】
なお、上記実施形態に記載の態様は、本発明に係る情報配信システムの好適な例であり、様々な情報の配信に関して応用が可能である。例えば、情報配信サーバ２０に配信情報として居住地、勤務先、及び通勤経路等の避難場所情報を格納しておいて、緊急情報を契機として配信条件を設定することにより、携帯電話機１０に対して所在地近辺の避難場所情報を即時に提供することが可能である。また、情報配信サーバ２０にアメリカンフットボールの規則情報及び選手情報を格納しておいて、試合の進行状況に応じて配信条件を設定することにより、競技場近辺に所在する携帯電話機１０に対して、関連する規則情報を即時に提供することが可能である。
【００５３】
本実施形態にかかる情報配信システム３０においては、情報配信サーバ２０が携帯電話機１０の要求送信部１０２による要求に応じて、配信情報を送信していたが、これは、情報配信サーバ２０が、いわゆるサーバプッシュ方式で能動的に、配信情報を送信しても良い。
【００５４】
また、本実施形態にかかる情報配信システム３０においては、情報配信サーバ２０が、携帯電話機１０の位置情報送信部１０４から位置情報を取得していたが、これは、ロケーションレジスタ、基地局、交換機等の各携帯電話機の位置情報を格納する設備から位置情報を受信しても良い。
【００５５】
また、本実施携帯にかかる情報配信システム３０においては、携帯電話機１０の位置情報として、ＧＰＳ測位手段によって測位された経度情報及び緯度情報を用いていたが、これは、携帯電話機１０の在圏基地局を示すコード等の在圏基地局情報を用いても良い。
【００５６】
また、本実施形態にかかる情報配信システム３０においては、情報配信サーバ２０が、携帯電話機１０の登録部１０１から受付情報を受け付けていたが、これは、インターネット網を介して、配信情報を表示させる設備とは異なる他のパーソナルコンピュータ、ＰＤＡ等の情報通信端末から受け付けるようにしても良い。
【００５７】
また、本実施形態にかかる情報配信システム３０においては、情報要求者の利用する情報通信端末として携帯電話機が使用されていたが、これは、ネットワーク上でデータを送受信できるものであればこれに限られない。例えば、ＰＨＳ（Ｐｅｒｓｏｎａｌ  Ｈａｎｄｙｐｈｏｎｅ  Ｓｙｓｔｅｍ）、携帯情報端末（ＰＤＡ；Ｐｅｒｓｏｎａｌ  Ｄｉｇｉｔａｌ  Ａｓｓｉｓｔａｎｔｓ）、可搬型コンピュータ等が挙げられる。
【００５８】
【発明の効果】
本発明の情報配信サーバによれば、通信端末特定情報と配信種別情報とを含む受付情報を受け付けるので、情報要求者がどの情報通信端末にどのような種類の配信情報を送って欲しいかという情報を登録させることができる。また、その受付情報に基づいて送信する配信情報を決定し、その配信情報を情報通信端末に送信するので、情報要求者が、希望する内容の配信情報を事前に取得することができる。また、受付情報に基づいて配信対象通信端末を決定し、受付情報に基づいて配信対象通信端末に再生させる配信情報を決定し、その配信情報を特定する情報を配信対象通信端末に送信するので、情報要求者に対して、事前にその情報要求者が取得した配信情報の中から、希望する内容の配信情報が何かを適時に知らせることができる。その結果、ネットワークの混雑状態に影響されずに適切に情報要求者に配信情報を提供することが可能な情報配信サーバ、情報通信端末、及び端末プログラムを提供することができる。
【図面の簡単な説明】
【図１】本発明の実施形態である情報配信システムの構成図である。
【図２】受付情報を受け付けた後の図１の端末情報格納部に格納されたデータの構成図である。
【図３】図１の配信条件格納部に格納されたデータの構成図である。
【図４】位置情報受信後の図１の端末情報格納部に格納されたデータの構成図である。
【図５】図１の送信状況格納部に格納されたデータの構成図である。
【図６】受付情報を受け付ける際の情報配信システムの動作を示すフローチャートである。
【図７】配信情報が送信される際の情報配信システムの動作を示すフローチャートである。
【図８】配信情報が再生される際の情報配信システムの動作を示すフローチャートである。
【図９】本発明の実施形態である端末プログラムを記録した記録媒体の構成図である。
【符号の説明】
１０…携帯電話機、２０…情報配信サーバ、３０…情報配信システム、４０…ネットワーク、１０１…登録部、１０２…要求送信部、１０３…情報受信部、１０４…位置情報送信部、１０５…受信部、１０６…再生部、１０７ｂ…スピーカ、１０７ａ…ディスプレイ、１０８…配信情報格納部、２０１…登録受付部、２０２…要求受信部、２０３…情報設定部、２０４…差分導出部、２０４…差分送出部、２０５…送信部、２０６…位置取得部、２０７…端末決定部、２０８…対象決定部、２０９…配信部、２１０…端末情報格納部、２１１…配信条件格納部、２１２…送信状況格納部、２１３…配信情報格納部。
【図１】
2004362137.tif 000003
【図２】
2004362137.tif 000004
【図３】
2004362137.tif 000005
【図４】
2004362137.tif 000006
【図５】
2004362137.tif 000007
【図６】
2004362137.tif 000008
【図７】
2004362137.tif 000009
【図８】
2004362137.tif 000010
【図９】
2004362137.tif 000011